(57)【要約】【課題】操作部材のガタつきを小さくすることで、良好な操作性と操作品位を確保するとともに、操作部の部品点数を削減して低コスト化を図ることができる電子機器を提供すること。【解決手段】同心円状に少なくとも３種類の操作部材を有し、中央部に配置される第２の操作部材は、固定保持され、外周に配置される第１の操作部材と、回転中心の中心部に配置される第３の操作部は、それぞれの固定部材に回転およびスライド支持されることを特徴とした電子機器。【選択図】  図２
2015146228.tif 000002
【特許請求の範囲】
【請求項１】
同心円状に少なくとも３種類の操作部材を有し、
中央部に配置される第２の操作部材（１１０）は、固定保持され、
外周に配置される第１の操作部材（１０１）と、回転中心の中心部に配置される第３の操作部（１３０）は、それぞれの固定部材（１０２）、（１１０）に回転およびスライド支持されることを特徴とする電子機器。
【請求項２】
前記第１の操作部材（１０１）は、回転操作するダイヤルであることを特徴とする請求項１に記載の電子機器。
【請求項３】
前記第２の操作部材（１１０）は、タッチ操作を検出するタッチ検出手段であることを特徴とする請求項１に記載の電子機器。
【請求項４】
前記第３の操作部材（１３０）は、押し釦であることを特徴とする請求項１に記載の電子機器。
【請求項５】
前記第２の操作部材（１１０）は、操作面の裏側に静電容量方式のタッチセンサ電極を有し、粘着テープによって固定されることを特徴とする、請求項１又は請求項３に記載の電子機器。
【請求項６】
前記タッチセンサ電極は、フレキシブル基板（１２０）に実装されることを特徴とする請求項１乃至請求項５の何れか１項に記載の電子機器。
【請求項７】
前記第２の操作部材（１１０）は、操作部材の支持部材（１１１）を介して、プリント基板（１０４）に直接固定保持されることを特徴とする請求項１に記載の電子機器。
【請求項８】
前記第１の操作部材（１０１）の外周近傍に、第２の押し釦（２）が配置されていることを特徴とする請求項１に記載の電子機器。
【請求項９】
前記フレキシブル基板（１２０）は、前記第２の押し釦（２）の付近にはシールド（４０５）を配線していることを特徴とする請求項１乃至請求項６の何れか１項に記載の電子機器。
【請求項１０】
前記第１の操作部材（１０１）と前記第２の操作部材（１１０）の間に、防滴部材（１６０）を配置することを特徴とする請求項１に記載の電子機器。
【発明の詳細な説明】
【技術分野】
【０００１】
本発明は、デジタルカメラ等の電子機器に設けられる操作部に関するものである。
【背景技術】
【０００２】
従来、デジタルカメラ等の電子機器に設けられる操作部として、回転操作ダイヤルと、回転操作ダイヤルの中央部に配置され、周方向の複数箇所で傾倒操作が可能な選択操作部材と、選択操作部材の裏面側に配置され、選択操作部材を傾倒可能に支持する支持部材を配置したものがある（特許文献１）。回転操作ダイヤルは、露出補正や撮影情報の設定操作を行うための操作部材であり、回転方向や回転量に応じて設定値が変更される。また、選択操作部材は、オートフォーカスフレーム選択や再生時の拡大表示位置移動等を行うための操作部材であり、各方向に倒すことで設定値を操作する。
【０００３】
また、抵抗膜式や容量検出式などのタッチセンサが普及し、簡単で直観的なユーザーインターフェースが提供されている。そしてダイヤル式の操作部材やタッチセンサの良いところあわせて、タッチセンタを用いて指の回転動作を検出する方法が提案されている。特許文献２では、操作部材を回転させる操作と指だけを動かす操作とを区別し、状況に応じて切り替える方式が開示されている。
【先行技術文献】
【特許文献】
【０００４】
【特許文献１】特開２０１２−４３７０７号公報
【特許文献２】特開２０１３−１３１４２１号公報
【発明の概要】
【発明が解決しようとする課題】
【０００５】
しかしながら、上述の特許文献１に開示された従来技術では、操作部材が傾倒するため、中央の押し釦の摺動は、新たな部品を設ける必要があり、構成が複雑である。また、ダイヤル内部の防滴性能は、ダイヤルと傾倒する操作部の隙間によって決まり、部品精度に依存していた。このため、防滴性能にバラつきがあった。また、動画撮影中において、絞り値などの設定を変更する際、クリック音やダイヤル操作音が録音されてしまう問題があった。そこで、特許文献２では、操作部に静電容量を用いることで、クリック音や摺動音が発生せずに、設定を変えることができる。しかしながら、タッチセンサは、操作部の検出電極の検出部を兼ねているため、操作部と静電容量センサの距離が離れるため、静電容量の感度が低かった。また、中央の押し釦は、回転する操作部に貫通して保持されるため、嵌合部が摺動部を兼ね、ガタつきが大きく、操作性品位が低かった。
【０００６】
そこで、本発明の目的は、操作部材のガタつきを小さくすることで、良好な操作性と操作品位を確保するとともに、操作部の部品点数を削減して低コスト化を図ることができる電子機器を提供することである。
【課題を解決するための手段】
【０００７】
上記目的を達成するために、本発明は、同心円状に少なくとも３種類の操作部材を有し、中央部に配置される第２の操作部材は、固定保持され、外周に配置される第１の操作部材と、回転中心の中心部に配置される第３の操作部は、それぞれの固定部材に回転およびスライド支持されることを特徴とする。
【発明の効果】
【０００８】
本発明によれば、操作部材のガタつきを小さくすることで、良好な操作性と操作品位を確保するとともに、操作部の部品点数を削減して低コスト化を図ることができる電子機器を提供することができる。
【図面の簡単な説明】
【０００９】
【図１】本発明の実施形態におけるデジタル一眼レフカメラの背面側の外観図である。
【図２】(ａ)(ｂ)は、本発明の実施形態におけるデジタル一眼レフカメラの操作部の断面図である。
【図３】本発明の実施形態におけるデジタル一眼レフカメラの操作部の概略構造を示す部分斜視図である。
【図４】本発明の実施形態における、第２の容量検出電極を正面から見た図である。
【図５】(ａ)(ｂ)は、本発明の実施形態における押し釦と保持構成を示す分解斜視図である。
【発明を実施するための形態】
【００１０】
以下に、本発明の好ましい実施の形態を、添付の図面に基づいて詳細に説明する。図１は、本発明の実施形態におけるデジタル一眼レフカメラの背面側の操作部の外観図である。図１に示すカメラの背面側の操作部材には、操作部１００が設けられ、円環状の第１の操作部材である回転操作ダイヤル１０１、回転操作ダイヤルの中央部に設けられた第２の操作部である円環状のタッチ操作部材１１０を備える。また、タッチ操作部材１１０の中心部には第３の操作部である押し釦１３０を備える。回転操作ダイヤル１０１は、カメラの各種機能やパラメータを設定するために用いられる。タッチ操作部材１１０はユーザが直接指で触れて、動画撮影時の各種パラメータを設定するために用いられる。また、操作部１１０の近傍には、設定ボタン２が設けられており、機能の設定を操作する際に用いる。なお、カメラの背面側には、ビューファインダー４や液晶表示装置３、各種ボタンやキーなどが配置されている。
【００１１】
図２（ａ）と図２（ｂ）は、図１における操作部１００の概略構造を示す部分断面図である。回転操作ダイヤル１０１は、回転支持部材１０２に回転可能に支持され、回転支持部材１０２は、外装カバー１０３に固定される。また、回転操作ダイヤル１０１には、回転金属板１０５がビス（不図示）によって固定され、一体となって回転する。回転金属板１０５は、プリント基板１０４と軸方向に対向するように配置されている。プリント基板１０４には第１の静電容量検出電極１０４ａ（図３）が設けられ、回転金属板１０５との間の静電容量を検出することで、回転操作ダイヤル１０１の回転を電気信号に変換して、不図示の制御部に出力する。また、タッチ操作支持部材１１１と回転操作ダイヤル１０１の間には、防滴部材１６０が設けられ、回転操作ダイヤル１０１とタッチ操作部材１１０との間の水や塵埃の侵入を防ぐことができる。
【００１２】
図３は、操作部１００の概略構造を示す部分斜視図である。回転操作ダイヤル１０１の内部には、バネ３０１とボール３０２が組み込まれており、回転支持部材１０２に対してバネ３０１によってボール３０２が押し付けられる構造となっている。回転支持部材１０２において、回転操作ダイヤル１０１に面する側の円周上に凹凸部１０２ａが彫られており、回転操作ダイヤル１０１が回転すると、ボール３０２が凹凸部１０２ａの凸を乗り越えるように動く。したがって、図示のような構造により、ユーザが回転操作ダイヤル１０１を回転させると、クリック感が得られるようになっている。例えば、パラメータを１段階変化させたり、画像１コマだけ送ったりといったような場合に、一つのクリック感を対応させることによって、正確な操作が出来るようになっている。
【００１３】
次に、タッチ操作部材１１０の操作方法に関して説明する。図１に示すように、タッチ操作部材１１０は、設定ボタン２を押すと液晶表示装置３内に、シャッター速度や絞り値、露出補正値などの設定項目が表示され、タッチ操作部材１１０表面の上や下を触れることで、設定項目を選択する。さらに選択後、左や右に触れることで、各設定項目の値を変更する。例えば露出補正値の場合、右を触れることで＋１／３段、＋２／３段と露出補正値を変更することができる。そして、設定ボタン２を押すことで、設定画面を終了することができる。図２に示すように、回転操作ダイヤル１０１の中央部に設けられたタッチ操作部材１１０の背面には、タッチ操作を検出するための第２の容量検出電極を有したフレキシブル基板１２０が設けられ、両面テープで固定されている。第２の容量検出電極は、タッチ操作部材１１０上の指との間の静電容量を検出するための電極である。また、タッチ操作部材１１０はタッチ操作支持部材１１１と共にビス１１５によって一体に保持され、プリント基板１０４にビス１１６で固定保持される。プリント基板１０４は図示していないが、外装カバー１０３に固定されている。
【００１４】
図４はフレキシブル基板１２０に実装された第２の容量検出電極を正面から見た図である。第２の容量検出電極は、図示のように、タッチ操作部材１１０の軸側から扇状に伸びた、４つの部分電極４０１〜４０４で構成されている。各部分電極間４０１〜４０４は、絶縁のために若干の隙間が設けられている。タッチ操作部材１１０は、電気を通さない、例えばモールド部材で構成されており、図２（ａ）に示すように、タッチ操作部材１１０に指を置くと、指と部分電極との間に静電容量が生じる。本実施形態のカメラでは、その静電容量値を読み取ることによって、タッチ操作部材１１０のどの範囲に指が置かれたかどうかを検出する仕組みになっている。そして、各部分電極から互いに異なる静電容量を検出できる構成になっているため、部分電極間の静電容量値を比較することによって、指がどこからどこへ移動したかを判断することができる。その結果、タッチ操作部材１１０上の指の動きを検出することが可能となっている。本実施形では、第２容量検出電極をタッチ操作部材１１０の背面に配置することで、検出距離を短くし、検出感度を高くすることができる。一方、タッチ感度が向上したことで、操作部１００の付近に設けられた設定ボタン２を操作する際に、誤操作が懸念される。そこで、部分電極４０１と４０１の間には、シールド部４０５を配線する。これにより、操作部１００近傍の設定ボタン２を操作する際に、タッチ操作の誤操作を抑制できる。
【００１５】
次に、図２（ｂ）を参照して、押し釦１３０の保持に関して説明する。タッチ操作部材１１０の中心部には、押し釦１３０が設けられ、タッチ操作部材１１０に軸方向に摺動可能に嵌合されている。押し釦１３０は、紙面下方向からボタン固定部材１４０がねじ１３５によって固定されている。ボタン固定部材１４０は、タッチ操作部材１１０に突き当たり、押し釦１３０が紙面上方向に移動することを規制している。したがって、ボタン固定部材１４０が固定されている押し釦１３０はプリント基板１０４上にある弾性スイッチ１５０により、紙面上方向に付勢されている。また、図５は押し釦１３０の保持構成を示す分解斜視図である。１１１ａは、タッチ操作支持部材１１１に設けられた回転規制部であり、ボタン固定部材１４０に形成された孔１４０ａが挿入され、押し釦１３０の回転を規制する。１５０ａは弾性スイッチに設けられた穴部であり、１１１ｂはタッチ操作支持部材１１１に形成された凸部である。穴部１５０ａは凸部１１１ｂを貫通して、弾性スイッチ１５０を精度良く位置決めすることが可能である。なお説明を容易にするため、図５には、その他の部品は図示していない。本実施形態では、タッチ操作部材１１０が押し釦１３０の摺動軸を兼ねているため、新たに嵌合軸部品を設ける必要がなく、操作部の部品点数を削減することができる。またタッチ操作部材１１０は、タッチ操作支持部材１１１と共締めされて、プリント基板１０４に固定されるため、押し釦１３０の摺動軸は、回転摺動を考慮する必要がない。そして、押し釦１３０のガタつきは２部品の軸寸法で決まるため、小さくすることができる。
【００１６】
以上説明したように本実施形態では、ユーザがタッチする面である、タッチ操作部材１１０の背面にタッチ検知手段である第２の容量検出電極を設けたことにより、タッチ性能の感度を向上させることができる。また、タッチ操作部材１１０が押し釦１３０の摺動軸を兼ねているため、新たに嵌合軸部品を設ける必要がなく、操作部の部品点数を削減することができる。そして、押し釦１３０の摺動軸を有するタッチ操作部材１１０は固定されているため、回転摺動を考慮する必要がなく、ガタつきを小さくすることができる。
【００１７】
以上、本発明の好ましい実施形態について説明したが、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００１８】
１０１  回転操作ダイヤル（第１の操作部材）
１０４  プリント基板
１１０  タッチ操作部材（第２の操作部材）
１１１  タッチ操作部材の支持部材
１２０  フレキシブル基板
１３０  押し釦（第３の操作部材）
【図１】
2015146228.tif 000003
【図２】
2015146228.tif 000004
【図３】
2015146228.tif 000005
【図４】
2015146228.tif 000006
【図５】
2015146228.tif 000007